【手続補正書】
【提出日】令和3年11月4日(2021.11.4)
【手続補正１】
【補正対象書類名】特許請求の範囲
【補正対象項目名】全文
【補正方法】変更
【補正の内容】
【特許請求の範囲】
【請求項１】
ユーザを示す情報をユーザから受け付ける受付手段を有し、
前記受付手段が受け付けた前記ユーザを示す情報を、画像処理装置で実行されるログイン処理で使用されるユーザを示す情報として設定し、かつ前記画像処理装置に送信される印刷データの実行ユーザを示す情報としても設定することを特徴とするモバイル端末。
【請求項２】
前記モバイル端末は、前記受付手段が受け付けた前記ユーザを示す情報を、前記画像処理装置で実行される前記ログイン処理で使用されるユーザを示す情報として設定し、当該設定されたユーザを示す情報を前記ユーザの操作に基づいて前記画像処理装置に送信することを特徴とする請求項１に記載のモバイル端末。
【請求項３】
前記モバイル端末は、前記受付手段が受け付けた前記ユーザを示す情報を、前記画像処理装置に送信される前記印刷データの実行ユーザを示す情報として設定し、当該設定されたユーザを示す情報を前記ユーザの操作に基づいて前記画像処理装置に送信することを特徴とする請求項１または２に記載のモバイル端末。
【請求項４】
前記受付手段が前記ユーザを示す情報を受け付けた後にさらに前記ユーザを示す情報を受け付けることなく、前記受付手段が受け付けた前記ユーザを示す情報を、画像処理装置で実行されるログイン処理で使用されるユーザを示す情報として設定し、かつ前記画像処理装置に送信される印刷データの実行ユーザを示す情報としても設定することを特徴とする請求項１乃至３の何れか１項に記載のモバイル端末。
【請求項５】
ユーザを示す情報をユーザから受け付ける受付手段を有し、
前記受付手段が受け付けた前記ユーザを示す情報を、画像処理装置で実行されるログイン処理に使用されるユーザを示す情報として使用し、かつ前記画像処理装置に送信される印刷データの実行ユーザを示す情報としても使用することを特徴とするモバイル端末。
【請求項６】
前記受付手段が前記ユーザを示す情報を受け付けた後にさらに前記ユーザを示す情報を受け付けることなく、前記受付手段が受け付けた前記ユーザを示す情報を、前記画像処理装置で実行される前記ログイン処理で使用されるユーザを示す情報として使用し、かつ前記画像処理装置に送信される前記印刷データの実行ユーザを示す情報としても使用することを特徴とする請求項５に記載のモバイル端末。
【請求項７】
ユーザを示す情報をユーザから受け付ける受付手段と、
前記受付手段が受け付けた前記ユーザを示す情報を保存する保存手段とを有し、
前記保存手段が前記ユーザを示す情報を保存したことによって、前記ユーザを示す情報を、画像処理装置で実行されるログイン処理に使用されるユーザを示す情報としても、前記画像処理装置に送信される印刷データの実行ユーザを示す情報としても使用されるようにすることを特徴とするモバイル端末。
【請求項８】
前記受付手段が受け付けた前記ユーザを示す情報を、前記画像処理装置で実行される前記ログイン処理に使用されるユーザを示す情報として使用するということは、前記受付手段が受け付けた前記ユーザを示す情報を、前記画像処理装置で実行される前記ログイン処理に使用されるユーザを示す情報として前記画像処理装置に送信することであることを特徴とする請求項５乃至７の何れか１項に記載のモバイル端末。
【請求項９】
前記受付手段が受け付けた前記ユーザを示す情報を、前記画像処理装置に送信される前記印刷データの実行ユーザを示す情報として使用するということは、前記受付手段が受け付けた前記ユーザを示す情報を、前記画像処理装置に送信される前記印刷データの実行ユーザを示す情報として前記画像処理装置に送信することであることを特徴とする請求項５乃至８の何れか１項に記載のモバイル端末。
【請求項１０】
前記ログイン処理は、コピー機能と画像データの送信機能を含む前記画像処理装置が有する複数の機能を前記ユーザが利用できるようにする処理であることを特徴とする請求項１乃至９の何れか１項に記載のモバイル端末。
【請求項１１】
前記ログイン処理において、前記受付手段が受け付けた前記ユーザを示す情報に基づいて前記ユーザのログインを許可するか否かの判定が実行されることを特徴とする請求項１乃至１０の何れか１項に記載のモバイル端末。
【請求項１２】
前記印刷データは前記モバイル端末から前記画像処理装置に送信されることを特徴とする請求項１乃至１１の何れか１項に記載のモバイル端末。
【請求項１３】
前記モバイル端末と前記画像処理装置はネットワークを介して接続可能であることを特徴とする請求項１乃至１２の何れか１項に記載のモバイル端末。
【請求項１４】
前記印刷データの実行ユーザを示す情報は、前記画像処理装置が前記印刷データに基づく印刷を実行するか否かに関する決定に使用されることを特徴とする請求項１乃至１３の何れか１項に記載のモバイル端末。
【請求項１５】
前記ログイン処理は、前記画像処理装置で実行されることを特徴とする請求項１乃至１４の何れか１項に記載のモバイル端末。
【請求項１６】
前記受付手段が受け付けた前記ユーザを示す情報は、ユーザ名であることを特徴とする請求項１乃至１５の何れか１項に記載のモバイル端末。
【請求項１７】
モバイル端末で実行されるアプリケーションプログラムであって、
ユーザが入力した情報であって、ユーザを示す情報を受け取る受取工程を前記モバイル端末に実行させ、
前記モバイル端末に、前記受取工程で受け取った前記ユーザを示す情報を、画像処理装置で実行されるログイン処理で使用されるユーザを示す情報として設定させ、かつ前記画像処理装置に送信される印刷データの実行ユーザを示す情報としても設定させることを特徴とするアプリケーションプログラム。
【請求項１８】
前記アプリケーションプログラムは、前記モバイル端末に、前記受取工程で受け取った前記ユーザを示す情報を、前記画像処理装置で実行される前記ログイン処理で使用されるユーザを示す情報として設定させ、当該設定されたユーザを示す情報を前記ユーザの操作に基づいて前記画像処理装置に送信させることを特徴とする請求項１７に記載のアプリケーションプログラム。
【請求項１９】
前記アプリケーションプログラムは、前記モバイル端末に、前記受取工程で受け取った前記ユーザを示す情報を、前記画像処理装置に送信される前記印刷データの実行ユーザを示す情報として設定させ、当該設定されたユーザを示す情報を前記ユーザの操作に基づいて前記画像処理装置に送信させることを特徴とする請求項１７または１８に記載のアプリケーションプログラム。
【請求項２０】
前記受取工程で前記ユーザを示す情報を受け取った後にさらに前記ユーザを示す情報を受け取ることなく、前記モバイル端末に、前記受取工程で受け取った前記ユーザを示す情報を、画像処理装置で実行される前記ログイン処理で使用されるユーザを示す情報として設定させ、かつ前記画像処理装置に送信される印刷データの実行ユーザを示す情報としても設定させることを特徴とする請求項１７乃至１９の何れか１項に記載のアプリケーションプログラム。
【請求項２１】
モバイル端末で実行されるアプリケーションプログラムであって、
ユーザが入力した情報であって、ユーザを示す情報をユーザから受け取る受取工程を前記モバイル端末に実行させ、
前記モバイル端末に、前記受取工程で受け取った前記ユーザを示す情報を、画像処理装置で実行されるログイン処理に使用されるユーザを示す情報として使用させ、かつ前記画像処理装置に送信される印刷データの実行ユーザを示す情報としても使用させることを特徴とするアプリケーションプログラム。
【請求項２２】
前記受取工程で前記ユーザを示す情報を受け取った後にさらに前記ユーザを示す情報を受け取ることなく、前記受付工程で受け取った前記ユーザを示す情報を、前記モバイル端末に、前記画像処理装置で実行される前記ログイン処理で使用されるユーザを示す情報として使用させ、かつ前記画像処理装置に送信される前記印刷データの実行ユーザを示す情報としても使用させることを特徴とする請求項２１に記載のアプリケーションプログラム。
【請求項２３】
モバイル端末で実行されるアプリケーションプログラムであって、
ユーザが入力した情報であって、ユーザを示す情報をユーザから受け取る受取工程と、
前記受取工程で受け取った前記ユーザを示す情報を保存する保存工程とを前記モバイル端末に実行させ、
前記保存工程で前記ユーザを示す情報が保存されたことによって、前記モバイル端末に、前記ユーザを示す情報を、画像処理装置で実行されるログイン処理に使用されるユーザを示す情報としても、前記画像処理装置に送信される印刷データの実行ユーザを示す情報としても使用されるようにさせることを特徴とするアプリケーションプログラム。
【請求項２４】
前記モバイル端末に、前記受取工程で受け取った前記ユーザを示す情報を、前記画像処理装置で実行される前記ログイン処理に使用されるユーザを示す情報として使用させるということは、前記受取工程で受け取った前記ユーザを示す情報を、前記画像処理装置で実行される前記ログイン処理に使用されるユーザを示す情報として前記画像処理装置に送信させることであることを特徴とする請求項２１乃至２３の何れか１項に記載のアプリケーションプログラム。
【請求項２５】
前記受取工程で受け取った前記ユーザを示す情報を、前記画像処理装置に送信される前記印刷データの実行ユーザを示す情報として使用させるということは、前記受付手段が受け付けた前記ユーザを示す情報を、前記画像処理装置に送信される前記印刷データの実行ユーザを示す情報として前記画像処理装置に送信させることであることを特徴とする請求項２１乃至２４の何れか１項に記載のアプリケーションプログラム。
【請求項２６】
前記ログイン処理は、コピー機能と画像データの送信機能を含む前記画像処理装置が有する複数の機能を前記ユーザが利用できるようにする処理であることを特徴とする請求項１７乃至２５の何れか１項に記載のアプリケーションプログラム。
【請求項２７】
前記ログイン処理において、登録されているユーザを示す情報と前記受取工程で受け取った前記ユーザを示す情報に基づいて前記ユーザのログインを許可するか否かの判定が実行されることを特徴とする請求項１７乃至２６の何れか１項に記載のアプリケーションプログラム。
【請求項２８】
前記印刷データは前記モバイル端末から前記画像処理装置に送信されることを特徴とする請求項１７乃至２７の何れか１項に記載のアプリケーションプログラム。
【請求項２９】
前記モバイル端末と前記画像処理装置はネットワークを介して接続可能であることを特徴とする請求項１７乃至２８の何れか１項に記載のアプリケーションプログラム。
【請求項３０】
前記印刷データの実行ユーザを示す情報は、前記画像処理装置が前記印刷データに基づく印刷を実行するか否かに関する決定に使用されることを特徴とする請求項１７乃至２９の何れか１項に記載のアプリケーションプログラム。
【請求項３１】
前記ログイン処理は、前記画像処理装置で実行されることを特徴とする請求項１７乃至３０の何れか１項に記載のアプリケーションプログラム。
【請求項３２】
前記受取工程で受け取った前記ユーザを示す情報は、ユーザ名であることを特徴とする請求項１７乃至３１の何れか１項に記載のアプリケーションプログラム。
【手続補正２】
【補正対象書類名】明細書
【補正対象項目名】００１０
【補正方法】変更
【補正の内容】
【００１０】
上記の少なくとも１つの目的を達成するために本発明のモバイル端末は、ユーザを示す情報をユーザから受け付ける受付手段を有し、前記受付手段が受け付けた前記ユーザを示す情報を、画像処理装置で実行されるログイン処理で使用されるユーザを示す情報として設定し、かつ前記画像処理装置に送信される印刷データの実行ユーザを示す情報としても設定することを特徴とする。